(57)【要約】【課題】耕耘機の構成を簡素化することができ、かつ、耕耘爪の交換や耕耘爪の修理・洗浄などをおこなう際の作業性を向上させることができる耕耘機を提供する。【解決手段】耕耘機１０は、耕耘機本体１１に設けられた抵抗棒取付孔３３に着脱自在に取り付けられた抵抗棒２２およびスタンド手段２４を備える。スタンド手段２４は、抵抗棒２２を外した抵抗棒取付孔３３に着脱自在に取付可能なポール部５１が設けられ、ポール部５１が抵抗棒取付孔３３に取り付けられた状態で、スタンド手段２４単独で耕耘機１０の姿勢を自立状態に保つ。【選択図】図７
2010124735.tif 000002
【特許請求の範囲】
【請求項１】
機体に設けられた抵抗棒取付孔に抵抗棒が着脱自在に取り付けられ、前記抵抗棒で耕耘時の姿勢を保持する耕耘機において、
前記機体の下方に設けられて、前記耕耘機の姿勢を単独の部材で自立状態に保つスタンド手段を備え、
前記スタンド手段は、
前記抵抗棒を外した前記抵抗棒取付孔に着脱自在に取付可能なポール部が設けられ、
前記ポール部が前記抵抗棒取付孔に取り付けられた状態で、前記スタンド手段単独で前記耕耘機の姿勢を自立状態に保つことを特徴とする耕耘機。
【請求項２】
前記スタンド手段は、
前記耕耘機の姿勢を自立状態に保持可能で、かつ、前記耕耘機の移動に使用可能な車輪を備えたことを特徴とする請求項１または請求項２記載の耕耘機。
【請求項３】
前記スタンド手段は、
前記機体の下方に設けられた耕耘爪の下方に延出された水平延長部を備え、
前記水平延長部で前記耕耘爪を浮かせた状態に保持することを特徴とする請求項１または請求項２記載の耕耘機。
【発明の詳細な説明】
【技術分野】
【０００１】
本発明は、機体に設けられた抵抗棒取付孔に抵抗棒が着脱自在に取り付けられ、抵抗棒で耕耘時の姿勢を保持する耕耘機に関する。
【背景技術】
【０００２】
耕耘機のなかには、運搬姿勢や保管姿勢に自立した状態に耕耘機の姿勢を保つために、機体フレームの前部からスタンドを下方に突設可能としたものが知られている。
この耕耘機によれば、機体フレームの前部からスタンドを下方に突設させて、スタンド、耕耘爪および抵抗棒を接地させることで、耕耘機を自立状態に保つことが可能である（例えば、特許文献１参照。）。
【特許文献１】特開２００６−１１５７７７号公報
【発明の開示】
【発明が解決しようとする課題】
【０００３】
しかし、特許文献１のスタンドを耕耘機に設けるためには、スタンドを取り付ける取付ブラケットを耕耘機に備える必要がある。
このため、耕耘機の構成が複雑になり、この観点から改良の余地が残されていた。
【０００４】
ところで、耕耘機の耕耘爪は土壌を攪拌するために摩耗が生じることが考えられる。
この場合、耕耘機の作業性を維持するために、摩耗した耕耘爪を新たな耕耘爪に交換することが好ましい。
【０００５】
また、耕耘機の耕耘爪は、通常、機体中心側の内側耕耘爪と、機体外側の外側耕耘爪とが分割可能に構成されている。
そして、耕耘作業の際には、内側耕耘爪および外側耕耘爪を取り付けて土壌を耕耘し、草刈作業の際には、内側耕耘爪のみを取り付けて草刈をおこなうことがある。
このため、作業の用途に応じて、外側耕耘爪を着脱することが考えられる。
【０００６】
このように、摩耗した耕耘爪を新たな耕耘爪に交換する場合や、外側耕耘爪を着脱する場合に、特許文献１のスタンドを用いて耕耘機を自立させた姿勢に保つことが考えられる。
しかし、特許文献１のスタンドは、耕耘爪および抵抗棒を接地させることで、すなわち耕耘爪および抵抗棒を利用することで、耕耘機を自立させた状態に保つ簡易的なスタンドである。
【０００７】
よって、特許文献１のスタンドを用いて耕耘機を自立させた状態において、耕耘爪の交換や外側耕耘爪の着脱をおこなう場合、耕耘機を安定させた状態に保つことは難しい。
このため、耕耘爪の交換作業や、外側耕耘爪の着脱作業に手間がかかる。
また、耕耘機を安定させた状態に保つことが難しいため、耕耘爪の修理や洗浄作業にも手間がかかる。
【０００８】
本発明は、耕耘機の構成を簡素化することができ、かつ、耕耘爪の交換や耕耘爪の修理・洗浄などをおこなう際の作業性を向上させることができる耕耘機を提供することを課題とする。
【課題を解決するための手段】
【０００９】
請求項１に係る発明は、機体に設けられた抵抗棒取付孔に抵抗棒が着脱自在に取り付けられ、前記抵抗棒で耕耘時の姿勢を保持する耕耘機において、前記機体の下方に設けられて、前記耕耘機の姿勢を単独の部材で自立状態に保つスタンド手段を備え、前記スタンド手段は、前記抵抗棒を外した前記抵抗棒取付孔に着脱自在に取付可能なポール部が設けられ、前記ポール部が前記抵抗棒取付孔に取り付けられた状態で、前記スタンド手段単独で前記耕耘機の姿勢を自立状態に保つことを特徴とする。
【００１０】
請求項２は、前記スタンド手段は、前記耕耘機の姿勢を自立状態に保持可能で、かつ、前記耕耘機の移動に使用可能な車輪を備えたことを特徴とする。
【００１１】
請求項３は、前記スタンド手段は、前記機体の下方に設けられた耕耘爪の下方に延出された水平延長部を備え、前記水平延長部で前記耕耘爪を浮かせた状態に保持することを特徴とする。
【発明の効果】
【００１２】
請求項１に係る発明では、スタンド手段にポール部を設け、ポール部を抵抗棒取付孔に着脱自在に取付可能とした。
このように、抵抗棒取付孔を利用してスタンド手段を取り付けることで、スタンド手段を機体に取り付けるための取付ブラケットを除去でき、耕耘機の簡素化を図ることができる。
【００１３】
さらに、抵抗棒取付孔にポール部を取り付けた状態において、スタンド手段単独で耕耘機の姿勢を自立状態に保つようにした。
よって、耕耘爪の交換や外側耕耘爪の着脱をおこなう場合に、スタンド手段で耕耘機を安定させた状態に自立させることができる。
これにより、耕耘爪の交換作業や耕耘爪の修理・洗浄作業などを手間をかけないでおこなうことが可能になり、作業性の向上を図ることができる。
【００１４】
請求項２に係る発明では、スタンド手段に移動用の車輪を備えた。これにより、移動用の車輪を用いて耕耘機を容易に移動することができ、使い勝手の向上を図ることができる。
さらに、移動用の車輪を用いて耕耘機の姿勢を自立状態に保持可能とした。このように、移動用の車輪を、耕耘機の姿勢を自立状態に保持する部材として兼用することで、スタンド手段の簡素化を図ることができる。
【００１５】
請求項３に係る発明では、スタンド手段の水平延長部を、耕耘爪の下方に（回り込むように）延出した。そして、水平延長部で耕耘爪を浮かせた状態に保持するようにした。
これにより、耕耘爪の交換作業や耕耘爪の修理・洗浄作業などを一層手間をかけないでおこなうことが可能になり、作業性の向上をさらに図ることができる。
【発明を実施するための最良の形態】
【００１６】
本発明を実施するための最良の形態を添付図に基づいて以下に説明する。なお、「前」、「後」、「左」、「右」は操作者から見た方向にしたがい、前側をＦｒ、後側をＲｒ、左側をＬ、右側をＲとして示す。
【００１７】
図１は本発明に係る耕耘機に抵抗棒を取り付けた状態を示す側面図、図２は本発明に係る耕耘機にスタンド手段を取り付けた状態を示す側面図、図３は本発明に係る耕耘機にケース体を取り付けた状態を示す側面図である。
耕耘機１０は、耕耘機本体（機体）１１の上端部に搭載されたエンジン１２と、エンジン１２の下方に設けられた耕耘軸１３と、耕耘軸１３に設けられた複数の耕耘爪（作業部）１５と、耕耘機本体１１の支持ブラケット１６から後上方へ向けて延出されたハンドルコラム１８と、ハンドルコラム１８の前端部１８ａに設けられた抵抗棒取付部２０と、抵抗棒取付部２０に着脱自在に取り付け可能な抵抗棒２２およびスタンド手段２４と、スタンド手段２４に取り付けられたケース体２６と、ハンドルコラム１８の略中央に設けられた運搬用のキャリーハンドル２８と、ハンドルコラム１８の上端部に設けられた操作ハンドル２９とを備えた歩行型耕耘機である。
【００１８】
この耕耘機１０は、エンジン１２の動力を耕耘軸１３に伝達し、耕耘軸１３を回転することにより、複数の耕耘爪１５で土壌を耕耘しながら走行する歩行型耕耘機である。
【００１９】
図４は本発明に係る耕耘機に抵抗棒を取り付けた状態を示す斜視図、図５は図４の５矢視図である。
抵抗棒取付部２０は、ハンドルコラム１８の前端部１８ａに設けられた取付パイプ部３１と、取付パイプ部３１に取り付けられた着脱操作手段３２とを備えている。
【００２０】
取付パイプ部３１は、抵抗棒取付孔３３が同軸上に貫通された筒状体である。
この取付パイプ部３１は、ハンドルコラム１８の前端部１８ａに貫通した状態でハンドルコラム１８に対して交差するように設けられ、鉛直線３５に対して角度θ（図１も参照）で傾斜するように配置されることで車体後方に向けて下り勾配に配置されている。
この取付パイプ部３１は、ハンドルコラム１８の前端部１８ａ上方に一対の係止孔３１ａが同軸上に形成されている。
【００２１】
着脱操作手段３２は、取付パイプ部３１の上端部３１ｂおよびハンドルコラム１８の前端部１８ａに溶接されたブラケット３７と、ブラケット３７の上下の端部３７ａ，３７ｂに設けられたストッパ片３８と、ブラケット３７の折曲部３９に貫通された筒状のカラー４１と、カラー４１に貫通されるとともに取付パイプ部３１の係止孔３１ａ，３１ａに差込可能な操作ロッド４２と、ストッパ片３８および折曲部３９間に介在された圧縮ばね４３とを備えている。
【００２２】
ブラケット３７は、上片４４の端部３７ａが取付パイプ部３１の上端部３１ｂに溶接され、下辺４５の端部３７ｂがハンドルコラム１８の前端部１８ａに溶接され、上片４４および下辺４５が折曲部３９で連結されている。
このブラケット３７は、上片４４、下辺４５および折曲部３９で略Ｕ字状に形成されている。
【００２３】
ストッパ片３８は、上片４４の端部３７ａ近傍および下辺４５の端部３７ｂ近傍に設けられ、略中央に貫通孔３８ａが形成されている。
カラー４１は、貫通孔３８ａと同軸上に配置された状態で、折曲部３９に貫通されるとともに固定されている。
【００２４】
操作ロッド４２は、カラー４１、ストッパ片３８の貫通孔３８ａ、取付パイプ部３１の係止孔３１ａ，３１ａおよび抵抗棒２２の取付孔２２ａに貫通された直線状のロッド本体４２ａと、ロッド本体４２ａに設けられてストッパ片３８に当接可能なフランジ４２ｂと、カラー４１から外側に突出したロッド本体４２ａの基端部に設けられた取手部４２ｃとを備えている。
【００２５】
圧縮ばね４３は、ブラケット３７の折曲部３９および操作ロッド４２のフランジ４２ｂ間に配置されるとともに、操作ロッド４２およびカラー４１に嵌合されている。
【００２６】
着脱操作手段３２によれば、圧縮ばね４３のばね力でフランジ４２ｂを押圧してフランジ４２ｂをストッパ片３８に当接させることで、ロッド本体４２ａを取付パイプ部３１の係止孔３１ａ，３１ａおよび抵抗棒２２の取付孔２２ａに差し込んだ状態に保持することができる。
これにより、取付パイプ部３１の抵抗棒取付孔３３に抵抗棒２２を取り付けることができる。
抵抗棒取付孔３３に抵抗棒２２を取り付けることで、耕耘機１０で土壌を耕耘する際に、耕耘時の姿勢を抵抗棒で保持することができる。
【００２７】
一方、取手部４２ｃを矢印の如く右方向に引っ張ることで、フランジ４２ｂが矢印方向に移動し、フランジ４２ｂで圧縮ばね４３を圧縮する。圧縮ばね４３を圧縮することで、ロッド本体４２ａを取付パイプ部３１の係止孔３１ａ，３１ａおよび抵抗棒２２の取付孔２２ａから抜き出すことができる。
これにより、取付パイプ部３１の抵抗棒取付孔３３から抵抗棒２２を手間をかけないで簡単に取り付けることや外すことができる。
【００２８】
図６は本発明に係る耕耘機にスタンド手段およびケース体を取り付けた状態を示す斜視図、図７は本発明に係る耕耘機からスタンド手段およびケース体を外した状態を示す斜視図である。
スタンド手段２４は、取付パイプ部３１の抵抗棒取付孔３３に着脱自在に取付可能なポール部５１と、ポール部５１の下端部５１ａに設けられた取付ブラケット５２と、取付ブラケット５２の上端部５２ａに設けられたスタンド部材５３と、スタンド部材５３に取り付けられた抵抗棒保持部５４と、取付ブラケット５２の下端部５２ｂに設けられた車輪５５とを備えている。
【００２９】
ポール部５１は、抵抗棒取付孔３３に下方から差込可能に形成された棒部材で、上端部５１ｂに取付孔５１ｃが設けられている。
取付孔５１ｃは、操作ロッド４２のロッド本体４２ａが貫通可能に形成されている。
抵抗棒取付孔３３にポール部５１を取り付けることで、取付パイプ部３１にスタンド手段２４を取り付けることができる。
【００３０】
このように、図１に示すように、耕耘機１０を耕耘機とすることで、耕耘機に備えた抵抗棒取付孔３３を利用してスタンド手段２４を着脱自在に取り付けることができる。
これにより、スタンド手段２４を取り付けるために、専用の取付ブラケット（取付孔）を耕耘機１０に備える必要がなく部品数を抑えて簡素化を図ることができる。
【００３１】
取付ブラケット５２は、ポール部５１の下端部５１ａに設けられた頂部５７と、頂部５７の左右端から下方に折り曲げられた左右の脚部５８とを備えている。
左右の脚部５８の上端部に受入凹部５９，５９が形成され、受入凹部５９，５９にスタンド部材５３が設けられている。
また、左右の脚部５８間に車輪５５が配置され、車輪５５が左右の脚部５８の下端部に支持軸を介して回転自在に取り付けられている。
【００３２】
図８は本発明に係るスタンド手段を示す斜視図である。
スタンド部材５３は、ロッドを折り曲げて形成された部材である。
このスタンド部材５３は、幅方向に略水平に延びた水平ロッド部６２と、水平ロッド部６２の左端部から前方に向けて延びた左支持延出部（支持延出部）６３と、水平ロッド部６２の右端部から前方に向けて下り勾配に延びた右支持延出部（支持延出部）６４とを備えている。
このスタンド部材５３は、平面視で略コ字状に形成されている。
【００３３】
左支持延出部６３は、水平ロッド部６２の左端部から前方に向けて下り勾配に延びた左傾斜延出部６６と、左傾斜延出部６６の下端部から前方に向けて水平に延びた左水平延出部（水平延出部）６７とを備えている。
右支持延出部６４は、水平ロッド部６２の右端部から前方に向けて下り勾配に延びた右傾斜延出部６８と、右傾斜延出部６８の下端部から前方に向けて水平に延びた右水平延出部（水平延出部）６９とを備えている。
【００３４】
左右の水平延出部６７，６９は、図２に示す耕耘機本体１１の下方に設けられた耕耘爪１５の下方に（回り込むように）延出されている。
回り込んだ左右の水平延出部６７，６９は、耕耘爪１５の下端１５ａに対して距離Ｈ１（図２参照）だけ下方に配置されている。
よって、図２に示すように、左右の水平延出部６７，６９を接地させた状態で、耕耘爪１５を浮かせた状態に保持することができる。
【００３５】
抵抗棒保持部５４は、抵抗棒２２を保持するパイプ（筒状部材）で、スタンド部材５３の左傾斜延出部６６に設けられるとともに下端部５４ａが凹状に潰されている。
下端部５４ａを凹状に潰すことで、抵抗棒２２の上端部２２ｂが抵抗棒保持部５４に差し込まれた状態に保持される。
これにより、抵抗棒保持部５４で抵抗棒２２を保持することができる。
【００３６】
スタンド手段２４によれば、抵抗棒取付孔３３から抵抗棒２２を外した状態で、ポール部５１を抵抗棒取付孔３３に取り付けることで、図２に示すように左右の水平延出部６７，６９および車輪５５を接地させることができる。
スタンド手段２４単独で耕耘機１０を運搬姿勢や保管姿勢に自立させた状態に保つことができる。
【００３７】
ここで、前述したように、左右の水平延出部６７，６９は、耕耘爪１５の下端１５ａに対して距離Ｈ１（図２参照）だけ下方に配置されている。
よって、図２に示すように、左右の水平延出部６７，６９を接地させた状態において、耕耘爪１５を浮かせた状態で耕耘機１０を運搬姿勢や保管姿勢に自立させた状態に保つことができる。
これにより、耕耘爪１５の交換作業や耕耘爪１５の修理・洗浄作業などを手間をかけないでおこなうことが可能になり、作業性の向上を図ることができる。
【００３８】
また、スタンド手段２４によれば、スタンド手段２４に移動用の車輪５５を備えた。
これにより、車輪５５を利用して耕耘機１０を容易に移動することが可能になり、使い勝手の向上を図ることができる。
【００３９】
さらに、移動用の車輪５５を用いて耕耘機１０を運搬姿勢や保管姿勢に自立させた状態に保つことができる。
このように、移動用の車輪５５を、耕耘機１０を自立状態に保持する部材として兼用することで、スタンド手段２４の簡素化を図ることができる。
【００４０】
図６、図７に戻って、ケース体２６は、スタンド手段２４のスタンド部材５３（具体的には、左右の支持延出部６３，６４）に取り付けられ、図１に示す耕耘爪１５を収納可能なケースである。
耕耘爪１５をケース体２６で収納することで、耕耘爪１５から落ちた土砂をケース体２６内に蓄えることができる。
これにより、耕耘機１０を車両で運搬する際に、車両の床部を耕耘爪１５から落ちた土砂で汚すことを防止できる。
【００４１】
このケース体２６は、略矩形状に形成された底部７１と、底部７１の前辺から上方に立ち上げられた前壁部７２と、底部７１の後辺から上方に立ち上げられた後壁部７３と、底部７１の左辺から上方に立ち上げられた左側壁部７４と、底部７１の右辺から上方に立ち上げられた右側壁部７５とを備えている。
このケース体２６は、底部７１、前壁部７２、後壁部７３、左側壁部７４および右側壁部７５で箱状に形成されている。
【００４２】
底部７１は、略矩状に形成された水平の部位である。
前壁部７２は、底部７１の前辺から前方に向けて上り勾配で傾斜された壁部である。
後壁部７３は、底部７１の後辺から後方に向けて上り勾配で傾斜された壁部である。
【００４３】
左側壁部７４は、底部７１の左辺から略鉛直に立ち上げられた側壁である。
左側壁部７４の上辺７７は、後方に向けて上り勾配に形成された上前辺７７ａと、上前辺７７ａの上端から後方に向けて略水平に形成された上中央辺７７ｂ、上中央辺７７ｂの後端から後方に向けて下り勾配に形成された上後辺７７ｃとを有する。
すなわち、上辺７７は、上中央辺７７ｂを略水平、上前辺７７ａおよび上後辺７７ｃを傾斜状とすることで略富士山型に形成されている。
【００４４】
この左側壁部７４は、上前辺（左側壁部のうち前部）７７ａから外側に張り出された把持部７８と、上中央辺７７ｂおよび上後辺（左側壁部のうち後部）７７ｃから外側に張り出されたフランジ部７９とを有している。
把持部７８は、作業者が把持可能に張出幅Ｗ１で比較的大きく外側に張り出されている。
【００４５】
図９は本発明に係る耕耘機にケース体を取り付けた状態を示す平面図である。
フランジ部７９は、把持部７８の張出幅Ｗ１に対して幅寸法が小さい張出幅Ｗ２で張り出されている。
よって、上中央辺７７ｂおよび上後辺７７ｃに、把持部７８に対してケース体２６の幅方向中心側に凹ませた干渉防止用の凹部８１が形成されている。
【００４６】
右側壁部７５は、底部７１の右辺から略鉛直に立ち上げられた側壁である。
右側壁部７５は、左側壁部７４と左右対称の側壁部なので、右側壁部７５の各構成部位に左側壁部７４と同じ符号を付して説明を省略する。
【００４７】
左右の側壁部７４，７５の上前辺７７ａに左右の把持部７８を備えることで、左右の把持部７８を作業者が把持してケース体２６を容易に持ち上げることができる。
さらに、左右の側壁部７４，７５の上中央辺７７ｂおよび上後辺７７ｃに干渉防止用の左右の凹部８１を備えることで、耕耘機１０を持ち上げる際に、作業者がケース体２６に干渉することを防ぐことができる。
【００４８】
図１０は本発明に係るケース体を示す斜視図、図１１は本発明に係る耕耘機を示す背面図である。
ケース体２６は、底部７１および後壁部７３において、左右の支持延出部６３，６４に対応する部位に、左右の支持延出部６３，６４をケース体２６の外方から嵌合可能な左右の嵌合溝部（嵌合溝部）８３，８４が設けられている。
【００４９】
左嵌合溝部８３は、底部７１の左側辺近傍から後壁部７３の左側辺近傍に亘って左側壁部７４（すなわち、左支持延出部６３）に沿って延出するように側面視略く字状に形成されている。
左嵌合溝部８３には、左支持延出部６３がケース体２６の外方から嵌合可能に凹状に形成されている。
【００５０】
右嵌合溝部８４は、底部７１の右側辺近傍から後壁部７３の右側辺近傍に亘って右側壁部７５（すなわち、右支持延出部６４）に沿って延出するように側面視略く字状に形成されている。
右嵌合溝部８４には、右支持延出部６４がケース体２６の外方から嵌合可能に凹状に形成されている。
【００５１】
左嵌合溝部８３が左支持延出部６３に嵌合されるとともに、右嵌合溝部８４が右支持延出部６４に嵌合されることにより、ケース体２６が左右の支持延出部６３，６４に上方から載置される。
【００５２】
よって、耕耘機１０を持ち上げることなく、左右の支持延出部６３，６４にケース体２６を載置することや、載置したケース体２６を左右の支持延出部６３，６４から取り外すことができる。
これにより、耕耘機１０を持ち上げてケース体２６に収納する必要がないので、耕耘爪１５をケース体２６に容易に収納することができ、耕耘爪１５をケース体２６から容易に取り外すことができる。
【００５３】
さらに、スタンド手段２４は、左右の水平延出部６７，６９を接地させた状態において、耕耘爪１５を浮かせた状態で耕耘機１０を運搬姿勢や保管姿勢に自立させた状態に保つことができる。
よって、ケース体２６を左右の支持延出部６３，６４に沿わせて回転させながら耕耘爪１５および左右の支持延出部６３，６４間に差し込むことで、左嵌合溝部８３が左支持延出部６３に嵌合されるとともに、右嵌合溝部８４が右支持延出部６４に嵌合される。
これにより、耕耘爪１５をケース体２６に一層容易に収納することができ、耕耘爪１５をケース体２６から一層容易に取り外すことができる。
【００５４】
加えて、前述したように、左右の側壁部７４，７５の上前辺７７ａに左右の把持部７８を備えている。これにより、左右の把持部７８を作業者が把持して、ケース体２６をスタンド部材５３（左右の支持延出部６３，６４（図７参照））に一層容易に着脱することができる。
【００５５】
後壁部７３は、底部７１から所定高さ位置Ｈ２の部位に一対の水抜孔８６が備えられている。
一対の水抜孔８６は、左右の補強リブ８７間に一定の間隔をおいて水平に配置され、ケース体２６の内部空間８８の水を排水可能な孔である。
これにより、一対の水抜孔８６を所定高さ位置Ｈ２に備えることで、ケース体２６の内部空間８８において一対の水抜孔８６より高い空間に水が溜まることを防止できる。
【００５６】
さらに、一対の水抜孔８６を後壁部７３の所定高さ位置Ｈ２に備えたので、一対の水抜孔８６はケース体２６の底部７１より上方に位置する。
よって、例えば、耕耘機１０から水滴がケース体２６の底部７１に滴下した場合に、滴下した水をケース体２６の底部７１に蓄えておくことができる。
これにより、耕耘爪１５から滴下した水滴が、ケース体２６の内部空間８８から車両の床部に排水されることを阻止することができる。
【００５７】
ところで、ケース体２６は、スタンド手段２４の車輪５５を軸にして耕耘機１０（図１参照）を後傾させることで、一対の水抜孔８６を最下位置に容易に配置できる。
よって、ケース体２６の内部空間８８において一対の水抜孔８６より低い空間に水が溜まった場合、耕耘機１０を後傾させて一対の水抜孔８６を最下位置に配置することで、ケース体２６の水を容易に排水することができる。
【００５８】
図９に戻って、キャリーハンドル２８は、図１に示すようにハンドルコラム１８の略中央に設けられ、耕耘機１０を運ぶために握る（把持する）左右のグリップ部４６，４７および中央グリップ部４８が設けられている。
耕耘機１０を運ぶために、例えば、耕耘機１０の左右側（ケース体２６の左右側）に各作業者が立ち、各作業者が左グリップ部４６および右グリップ部４７をそれぞれ把持し、左右のグリップ部４６，４７を持ち上げて耕耘機１０を運ぶ。
または、耕耘機１０の左右側（ケース体２６の左右側）の一方に１人の作業者が立ち、中央グリップ部４８を把持し、中央グリップ部４８を持ち上げて耕耘機１０を運ぶ。
【００５９】
このため、耕耘機１０を運ぶ際に、作業者がケース体２６の左右側、または一側に立つことになる。このため、左右の側壁部７４，７５の上中央辺７７ｂおよび上後辺７７ｃからフランジを大きく張り出すと、フランジに作業者が干渉することが考えられる。
そこで、前述したように、左右の側壁部７４，７５の上中央辺７７ｂおよび上後辺７７ｃに干渉防止用の左右の凹部８１を備えた。
これにより、耕耘機１０を持ち上げる際に、作業者がケース体２６に干渉することを防ぐことができる。
【００６０】
ここで、前述したように、ケース体２６の水抜孔８６は後壁部７３に備えられている。
一方、耕耘機１０を運ぶ際に、作業者はケース体２６の左右側に位置する。
これにより、耕耘機１０を運ぶ際に、水抜孔８６から排水された水が作業者にかからないようにできる。
【００６１】
つぎに、耕耘機１０から抵抗棒２２を外してスタンド手段２４を取り付ける手順を図１２〜図１４に基づいて説明する。
図１２（ａ），（ｂ）は本発明に係る耕耘機から抵抗棒を外す手順を説明する図である。
（ａ）において、耕耘機１０を耕耘軸１３を軸にして矢印Ａの如く前側に倒すことによりガード部材２７を接地させる。ガード部材２７および耕耘爪１５が接地することで、耕耘機１０が前傾した状態に保持される。
耕耘機１０が前傾することで、取付パイプ部３１の下端部３１ｃが後方を向いて配置され、抵抗棒２２が横向きに浮いた状態に保たれる。
【００６２】
（ｂ）において、図５に示す着脱操作手段３２の操作ロッド４２（具体的には、取手部４２ｃ）を操作することで、取付パイプ部３１の抵抗棒取付孔３３（図５参照）から抵抗棒２２を矢印Ｂの如く外す。
【００６３】
図１３（ａ），（ｂ）は本発明に係る耕耘機にスタンド手段を取り付ける手順を説明する図である。
（ａ）において、取付パイプ部３１の抵抗棒取付孔３３（図５参照）にスタンド手段２４のポール部５１を矢印Ｃの如く差し込む。ポール部５１を差し込んだ状態で、図５に示す操作ロッド４２（取手部４２ｃ）を操作して取付パイプ部３１にポール部５１を取り付ける。
【００６４】
（ｂ）において、耕耘機１０を矢印Ｄの如く運搬姿勢や保管姿勢に自立させる位置に戻すことにより、スタンド手段２４に備えた左右の水平延出部６７，６９および車輪５５を接地させる。左右の水平延出部６７，６９および車輪５５を接地させることで、スタンド手段２４で耕耘機１０が運搬姿勢や保管姿勢で自立状態に保たれる。
取付パイプ部３１から外した抵抗棒２２を抵抗棒保持部５４に矢印Ｅの如く取り付ける。
【００６５】
図１４は本発明に係る耕耘機をスタンド手段で自立させた状態を示す図である。
左右の水平延出部６７，６９は、耕耘爪１５の下端１５ａに対して距離Ｈ１だけ下方に配置されている。よって、左右の水平延出部６７，６９および車輪５５を接地させることで、耕耘爪１５を浮かせた状態に保つことができる。
【００６６】
つぎに、スタンド手段２４にケース体２６を取り付ける手順を図１５に基づいて説明する。
図１５（ａ），（ｂ）は本発明に係る耕耘機にケース体を取り付ける手順を説明する図である。
（ａ）において、ケース体２６の左右の把持部７８（図６も参照）を掴んで、ケース体２６を矢印Ｆの如く後傾させて後壁部７３を水平に配置する。この状態で、ケース体２６を矢印Ｇの如く移動させて、後壁部７３を左右の水平延出部６７，６９と耕耘爪１５との間に差し込む。
ケース体２６の左右の把持部７８を掴むことで、ケース体２６を差し込む作業を手間をかけないで容易におこなうことができる。
ケース体２６を差し込むことで、左水平延出部６７に左嵌合溝部８３が嵌合するとともに、右水平延出部６９に右嵌合溝部８４が嵌合する。
【００６７】
ケース体２６の後壁部７３を、左右の傾斜延出部６６，６８と耕耘爪１５との間に差し込む。
左傾斜延出部６６に左嵌合溝部８３が嵌合するとともに、右傾斜延出部６８に右嵌合溝部８４が嵌合する。
【００６８】
（ｂ）において、ケース体２６の後壁部７３（図１５（ａ）参照）を、左右の水平延出部６７，６９に沿って移動し、その後、左右の傾斜延出部６６，６８に沿って移動することで、ケース体２６が矢印Ｉの如く回転する。
ケース体２６が矢印Ｉの如く回転することで、左支持延出部６３に左嵌合溝部８３が嵌合するとともに、右支持延出部６４に右嵌合溝部８４が嵌合する。
【００６９】
ケース体２６が矢印Ｉの如く回転することで、ケース体２６の底部７１が水平に配置されて接地する。
この状態で、ケース体２６がスタンド部材５３（具体的には、左右の支持延出部６３，６４）に載置された状態で取り付けられる。
【００７０】
なお、本発明に係る耕耘機は、前述した実施の形態に限定されるものではなく適宜変更、改良などが可能である。
例えば、前記実施の形態では、耕耘機１０をスタンド手段２４で自立姿勢に保持した際に耕耘爪１５を浮かせる例について説明したが、これに限らないで、耕耘爪１５を浮かせないように構成することも可能である。
【００７１】
また、前記実施の形態では、スタンド部材５３に左右の支持延出部６３，６４を備えた例について説明したが、支持延出部の本数は２本に限定するものではない。
例えば、スタンド部材５３に一本の支持延出部を備え、一本の支持延出部を略Ｔ字状に形成することも可能である。
【００７２】
さらに、前記実施の形態で示した耕耘機本体１１、耕耘爪１５、抵抗棒２２、スタンド手段２４、取付パイプ部３１、抵抗棒取付孔３３、ポール部５１、スタンド部材５３、車輪５５、左右の支持延出部６３，６４および左右の水平延出部６７，６９などは例示した形状に限定するものではなく適宜変更が可能である。
【産業上の利用可能性】
【００７３】
本発明は、機体に設けられた抵抗棒取付孔に抵抗棒が着脱自在に取り付けられ、抵抗棒で耕耘時の姿勢を保持する耕耘機への適用に好適である。
【図面の簡単な説明】
【００７４】
【図１】本発明に係る耕耘機に抵抗棒を取り付けた状態を示す側面図である。
【図２】本発明に係る耕耘機にスタンド手段を取り付けた状態を示す側面図である。
【図３】本発明に係る耕耘機にケース体を取り付けた状態を示す側面図である。
【図４】本発明に係る耕耘機に抵抗棒を取り付けた状態を示す斜視図である。
【図５】図４の５矢視図である。
【図６】本発明に係る耕耘機にスタンド手段およびケース体を取り付けた状態を示す斜視図である。
【図７】本発明に係る耕耘機からスタンド手段およびケース体を外した状態を示す斜視図である。
【図８】本発明に係るスタンド手段を示す斜視図である。
【図９】本発明に係る耕耘機にケース体を取り付けた状態を示す平面図である。
【図１０】本発明に係るケース体を示す斜視図である。
【図１１】本発明に係る耕耘機を示す背面図である。
【図１２】本発明に係る耕耘機から抵抗棒を外す手順を説明する図である。
【図１３】本発明に係る耕耘機にスタンド手段を取り付ける手順を説明する図である。
【図１４】本発明に係る耕耘機をスタンド手段で自立姿勢に保持した状態を示す図である。
【図１５】本発明に係る耕耘機にケース体を取り付ける手順を説明する図である。
【符号の説明】
【００７５】
１０…耕耘機、１１…耕耘機本体（機体）、１５…耕耘爪（作業部）、２２…抵抗棒、２４…スタンド手段、３１…取付パイプ部、３３…抵抗棒取付孔、５１…ポール部、５３…スタンド部材、５５…車輪、６３，６４…左右の支持延出部（支持延出部）、６７，６９…左右の水平延出部（水平延出部）。
【図１】
2010124735.tif 000003
【図２】
2010124735.tif 000004
【図３】
2010124735.tif 000005
【図４】
2010124735.tif 000006
【図５】
2010124735.tif 000007
【図６】
2010124735.tif 000008
【図７】
2010124735.tif 000009
【図８】
2010124735.tif 000010
【図９】
2010124735.tif 000011
【図１０】
2010124735.tif 000012
【図１１】
2010124735.tif 000013
【図１２】
2010124735.tif 000014
【図１３】
2010124735.tif 000015
【図１４】
2010124735.tif 000016
【図１５】
2010124735.tif 000017